(57)【要約】【課題】同梱スタンド緩衝材を、無駄に廃棄しなければならないような部分を発生させること無く、インチの違いによる大きさの異なる外装箱で共用すること。【解決手段】同梱スタンド緩衝材を３７インチ用セット底箱に使用する場合は、同梱スタンド緩衝材ｂ、同梱スタンド緩衝材ｃにそれぞれに表示されている識別表示（３７用）が正しく読める方向に配置すると、同梱スタンドを短辺で固定するように正規の位置に配置されるようになっている。４２インチの場合は同梱スタンド緩衝材ｂ、同梱スタンド緩衝材ｃを識別表示（４２用）が正しく読める方向に配置すると、同梱スタンドを長辺で固定するように正規の位置に配置されるようになっている。  上記により、無駄に廃棄しなければならないような部分を発生させること無く、インチの違いによる大きさの異なる外装箱で共用でき、且つ各インチの梱包仕様が一目で見分けが付くという同梱スタンド緩衝材を提供できる。【選択図】図２
2008100740.tif 000002
【特許請求の範囲】
【請求項１】
表示装置の大きさにより大きさの異なるスタンドを梱包箱の四角形状の底面に固定する為の緩衝材であって、
前記緩衝材は前記梱包箱の一つの角に固定されるとともに、底面に並行方向に異なる長さを持つ第一の緩衝材と第二の緩衝材で構成され、
前記表示装置の大きさに基づいて、第一の緩衝材と第二の緩衝材を回転させることにより大きさの異なるスタンドを固定する緩衝材。
【請求項２】
表示装置の大きさに応じて、緩衝材の設置の方向を指定する方向指定手段を備えた請求項１に記載の緩衝材。
【発明の詳細な説明】
【技術分野】
【０００１】
本発明は、スタンドを有する表示装置で、その包装形態が包装済みのスタンドをセット底面に同梱するものに関するものである。
【背景技術】
【０００２】
従来の技術について図４から図７を用いて説明する。図４は従来例におけるテレビセットの包装形態の構成斜視図であり、図５は同梱スタンド緩衝材４０の部品平面図、図６は同梱スタンド緩衝材４０が３７インチ用セット底箱３１に使用されたときの構成平面図。図７は同梱スタンド緩衝材４０が４２インチ用セット底箱３２に使用されたときの構成平面図である。
【０００３】
従来、スタンドを有する表示装置で、その包装形態が包装済みのスタンドをセット底面に同梱するものにおいては、インチの違いによる大きさの異なる外装箱で共用するため、同梱スタンド緩衝材４０を図５のように３分割できるようにし、図６、図７のように使用することで行ってきた。もしくは共用を考えず、それぞれ緩衝材を作成するか、同梱箱を外装箱の大きさに合わせて作成していた。
【特許文献１】特開２００３−２６２４６号公報
【発明の開示】
【発明が解決しようとする課題】
【０００４】
しかしながら、前記従来の構成では図６のように小さいインチに使用した場合に同梱スタンド緩衝材Ｃ４３のように無駄となる部分が発生してしまい完全な共用とは言えなかった。また緩衝材もしくは同梱箱をそれぞれのインチで用意するのは金型費用が倍かかるため現実的に難しい。
【０００５】
よって本発明は、前記従来の課題を解決するもので、スタンドを有する表示装置で、その包装形態が包装済みのスタンドをセット底面に同梱するものにおいて、同梱スタンドを固定する緩衝材をインチの違いによる大きさの異なる外装箱で共用できる緩衝材を提供することを目的とする。
【課題を解決するための手段】
【０００６】
前記従来の課題を解決するために本発明は、同梱スタンド緩衝材をまず左右に分割出るようにし、さらにその片方を前後方向に分割出来るようにする。前後に分割した緩衝材を９０度回転することにより、小さい外装箱の場合は短辺で同梱スタンドを固定し、大きい外装箱の場合は長辺で同梱スタンドを固定することで、大きさの違う外装箱でも共用可能な同梱スタンド緩衝材を提供することができる。
【０００７】
また上記緩衝材において、例えばインチ数のような文字を、緩衝材が正規の位置に配置されたとき正しく読めるように表示しておくことで、各インチの梱包仕様が一目で見分けが付くような同梱スタンド緩衝材を提供することができる。
【発明の効果】
【０００８】
本発明の同梱スタンド緩衝材よれば、無駄に廃棄しなければならないような部分を発生させること無く、インチの違いによる大きさの異なる外装箱で共用でき、且つ各インチの梱包仕様が一目で見分けが付くという効果が得られる。
【発明を実施するための最良の形態】
【０００９】
以下本発明を実施するための最良の形態について、図面を参照しながら説明する。インチの違いによる外装箱の大きさの説明を分かりやすくするため小さい箱を３７インチ用、大きい箱を４２インチ用と表現する。
【００１０】
（実施の形態１）
図１は本発明の実施の形態１における同梱スタンド緩衝材５０の部品平面図であり、図２は同梱スタンド緩衝材５０を３７インチ用セット底箱３１に使用したときの構成平面図である。図３は同梱スタンド緩衝材５０を４２インチ用セット底箱３２に使用したときの構成平面図である。同梱スタンド緩衝材５０は３分割出来るようになっていて前後に分割される同梱スタンド緩衝材ｂ５２、同梱スタンド緩衝材ｃ５３には識別表示（３７用）５４、識別表示（３７用）５５が表示されている。
【００１１】
図２は同梱スタンド緩衝材５０を３７インチ用セット底箱３１に使用した時の構成平面図である。同梱スタンド緩衝材ｂ５２、同梱スタンド緩衝材ｃ５３は、それぞれに表示されている識別表示（３７用）５４が正しく読める方向に配置すると、同梱スタンド１０を短辺で固定するように正規の位置に配置されるようになっている。
【００１２】
図３は同梱スタンド緩衝材５０を４２インチ用セット底箱３２に使用した時の構成平面図である。同梱スタンド緩衝材ｂ５２、同梱スタンド緩衝材ｃ５３は、それぞれに表示されている識別表示（４２用）５５が正しく読める方向に配置すると、同梱スタンド１０を長辺で固定するように正規の位置に配置されるようになっている。
【００１３】
上記のようにすると、無駄に廃棄しなければならないような部分を発生させること無く、インチの違いによる大きさの異なる外装箱で共用でき、且つ各インチの梱包仕様が一目で見分けが付くという同梱スタンド緩衝材を提供できる。
【産業上の利用可能性】
【００１４】
本発明にかかる同梱スタンド緩衝材は、無駄に廃棄しなければならないような部分を発生させること無く、インチの違いによる大きさの異なる外装箱で共用でき、且つ各インチの梱包仕様が一目で見分けが付くことが可能になるので、スタンドを有し、その包装形態が包装済みのスタンドをセット底面に同梱する表示装置等において有用である。
【図面の簡単な説明】
【００１５】
【図１】本発明の実施の形態１におけるパネル取付金具の三面図
【図２】本発明の実施の形態１におけるキャビネットの背面図
【図３】本発明の実施の形態１における液晶パネルにパネル取付金具が取り付いた状態の斜視図
【図４】従来例におけるテレビセットの包装形態の構成斜視図
【図５】従来例における同梱スタンド緩衝材の部品平面図
【図６】従来例における同梱スタンド緩衝材が３７インチ用セット底箱に使用されたときの構成平面図
【図７】従来例における同梱スタンド緩衝材が４２インチ用セット底箱に使用されたときの構成平面図
【符号の説明】
【００１６】
１０    同梱スタンド
２１    ３７インチ用セット外装箱
３１    ３７インチ用セット底箱
３２    ４２インチ用セット底箱
３３    ボス
４０    同梱スタンド緩衝材
４１    同梱スタンド緩衝材Ａ
４２    同梱スタンド緩衝材Ｂ
４３    同梱スタンド緩衝材Ｃ
５０    同梱スタンド緩衝材
５１    同梱スタンド緩衝材ａ
５２    同梱スタンド緩衝材ｂ
５３    同梱スタンド緩衝材ｃ
５４    識別表示（３７用）
５５    識別表示（４２用）
【図１】
2008100740.tif 000003
【図２】
2008100740.tif 000004
【図３】
2008100740.tif 000005
【図４】
2008100740.tif 000006
【図５】
2008100740.tif 000007
【図６】
2008100740.tif 000008
【図７】
2008100740.tif 000009